(57)【要約】      （修正有）【課題】主に沖縄地方で採用されている赤瓦屋根等のモルタルを介して固定する本葺き瓦の固定強度を上げ、耐風・耐震性能を向上させる。 【解決手段】本葺き瓦屋根のオス瓦（丸瓦）４の裏面に１個以上の突起状部を設け、団子モルタル６にオス瓦４を押し付けると、この突起状部がモルタルに食い込み、同時にメス瓦５とモルタル８が一体化されて固定される。【選択図】図５
2006009443.tif 000002
【特許請求の範囲】
【請求項１】
瓦の裏面に一個以上の突起状部を有する在来瓦のオス瓦。
【請求項２】
突起の高さが５ｍｍ以上である事を特徴とする請求項1に記載の在来瓦の
オス瓦。
【請求項３】
突起の形状が線、面または任意の模様や図形及びその組合せからなる請求
項１、２に記載の在来瓦。
【請求項４】
突起面図形の周縁より内部に凹部を有する事を特徴とする請求項３に記載
の在来瓦。
【請求項５】
オス瓦の表面で、カマボコ形の断面の左右下端部より３０ｍｍ以内の側面
部分に凹凸を有する線又は面図形を有する請求項１に記載の在来瓦のオス瓦。
【発明の詳細な説明】
【技術分野】
【０００１】
屋根下地９とメス瓦５、メス瓦５とオス瓦４の隙間をモルタル６、８で埋め、オス瓦４  とメス瓦５の  繋目を漆喰７で隙間無く目地張りする、主に沖縄地方で採用されている、  赤瓦屋根用の耐風・耐震在来瓦。
【背景技術】
【０００２】
沖縄地方では、屋根下地９の上にモルタル８を塗り、屋根の上下方向にはメス瓦５を、上側のメス瓦が下側のメス瓦の上に一部重なるように、左右方向には隣接するメス瓦の間に少し隙間を設けて並べ、左右に隣接するメス瓦間の繋目の上に団子モルタル６を置いてその上にオス瓦４を固定していく在来赤瓦葺きが行われている。
【０００３】
更にオス瓦４の下方半円形断面の左右下端はメス瓦面５と接する。この繋目に上から漆喰７を十分塗って目地張りをする。
【０００４】
漆喰７が経年劣化するまでは結構耐風・耐震性能は確保できる施工方法である。
【０００５】
然し漆喰７が劣化してヒビ割れや一部欠落してしまうとその割れ目から風が入り簡単にオス瓦４が剥がれてしまうし耐震性も落ちる。
【０００６】
台風の時にはその被害は甚大で、沖縄県内で一度に数十件の被害が発生し、一件当たりの被害金額は４０〜５０万円になるので、年間５〜６回の台風に見舞われる沖縄ではかなりの被害額にのぼることになる。
【０００７】
和瓦や平板瓦の耐風・耐震対策としては色々な方式や技術が開発実用化されている。
【０００８】
主なるものは、上下、左右に又は上下左右ともに隣接する瓦同士の係合突起と差込受け部の係合による一体化によるか又は釘等を用いて屋根板に固定する、もしくは桟木に固定具を設けて瓦を固定する方式である。
【０００９】
特開２００３−５６１２４、特開２００３−３３６３５、特開２００３−３４３０４０などは前者に属するし、特開２００１−３４９００４、特開２００３−２０６５９６などは後者に属するものである。
【００１０】
これ等の方式はいずれも瓦の構造を複雑にし金型コストを高くするうえに瓦葺き作業も作業工賃の増加を余儀なくさせる。
【特許文献１】特開２００３−５６１２４
【特許文献２】特開２００３−３３６３５
【特許文献３】特開２００３−３４３０４０
【特許文献４】特開２００１−３４９００４
【特許文献５】特開２００３−２０６５９６
【発明の開示】
【発明が解決しようとする課題】
【００１１】
在来瓦のコストアップを招かず、屋根葺き作業の、工賃を上げることのない耐風・耐震在来赤瓦を実現すること。
【課題を解決するための手段】
【００１２】
在来瓦屋根においては、屋根下地９とメス瓦５、横に並んだメス瓦５の隙間やメス瓦５  とオス瓦４の重合せ空間に団子状モルタル６などを隙間無く詰めて瓦を葺く。
【００１３】
従って夫々の瓦をモルタル６、８に固定すれば瓦同士が一体化され、おのずと耐風・耐震性は向上する。
【００１４】
オス瓦１の裏面に簡単な線や面図形の突起２を設け、オス瓦４を団子モルタル６に押し付けるように葺き、突起部２をモルタル６に食い込ませることでオス瓦４とトモルタル６及びメス瓦５とモルタル８が一体化されて耐風・耐震性を向上させることが出来る。
【００１５】
突起部２の形状は特定する必要はないが、風の吹く方向が一定でない事を考えると四方八方からの力を受け止められる面図形又は線図形と面図形の組み合わせが有効である。
【００１６】
美観的に工夫した模様でも良いが、施工後は人目に触れないし、金型の製作コストを考慮すれば円や楕円、横棒、縦棒形等の単純図形やそれらの組み合わせが有効である。
【００１７】
又突起の高さとしては、瓦を葺くときに手で押し付けてモルタルに食い込ませ保持力を確保でき得る高さとして５ｍｍ以上１５ｍｍ以下が適当である。
【００１８】
請求項１は、在来赤瓦のオス瓦の裏面に一個以上の突起部２を有するオス瓦を特定する。突起部の形状は問わないし、色々な形状の組合せでも良い。
【００１９】
請求項２は、その突起部２の高さが５ｍｍ以上であることを特定している。
【００２０】
５ｍｍ以下では突起部２のモルタル６への食い込み量が少なく耐風・耐震効果が期待できない。
【００２１】
高さの制限はしていないが、現場での作業性を考慮すると１５ｍｍ以下が実用的と思われる。
【００２２】
請求項３は、突起部２の構成に線・面または任意の模様図形及びその組み合わせが可能であることを述べている。
【００２３】
請求項４は、面模様の周縁より内部に凹部を有する面模様を特定している。
【００２４】
このような面模様は、より耐風・耐震の改善に効果を発揮する。
【００２５】
請求項５は、オス瓦４の裏面に突起部２を有する請求項１記載のオス瓦４表面で、メス瓦５との接線部から３ｃｍ高さ以内の部分に凹凸を有する線または面図形を有することを特定している。
【００２６】
オス瓦４の裏面のみならず表面に模様３をつけることでも耐風・耐震効果をより一層高めることが出来る。
【００２７】
この部分での固定は、メス瓦５とオス瓦４の接線部を漆喰７で固定するもので、オス瓦４裏面の突起部２を団子モルタル６に食い込ませて固定し、耐風・耐震を持たせる機能の補助的な役割を果たす。
【実施例】
【００２８】
図１〜図４に基づき、在来赤瓦のオス瓦実施の一形態を示し説明するが本件発明はこれに限定されるものではない。図１、図４に示す各寸法は次の通り。
【００２９】
Ｌ：３００ｍｍ  ，ｌ１：  ５０ｍｍ  ，ｌ２：  ４５ｍｍ
Ｈ：  ８０ｍｍ  ，ｈ１：  ４８ｍｍ  ，ｈ２：  ６５ｍｍ  ，ｈ３：  ３０ｍｍ，Ｗ：１５０ｍｍ  ，ｗ１：１０８ｍｍ  ，ｗ２：  ９０ｍｍ
【００３０】
オス瓦裏面の凸状図形２は、８個の線図形であり、長さ４５ｍｍ、幅１０ｍｍ、高さは９ｍｍとした。
【００３１】
また表面の凹状線図形３は金型または手書きで模様付けしている。
【図面の簡単な説明】
【００３２】
【図１】在来赤瓦のオス瓦図正面図
【図２】在来赤瓦のオス瓦図左側面図
【図３】在来赤瓦のオス瓦図右側面図
【図４】在来赤瓦のオス瓦図底面図
【図５】瓦葺き図
【符号の説明】
【００３３】
記号    １  正面図                          ６  団子モルタル
２  オス瓦裏面の線状突起部          ７  漆喰
３  オス瓦表面の凹状線図形          ８  モルタル
４  オス瓦                          ９  コンクリート（屋根下地）
５  メス瓦
【図１】
2006009443.tif 000003
【図２】
2006009443.tif 000004
【図３】
2006009443.tif 000005
【図４】
2006009443.tif 000006
【図５】
2006009443.tif 000007